(57)【要約】【課題】録画時刻が重複する番組が存在する場合に、この番組の視聴時にユーザーにどの時間帯で録画時刻が重複しているかを知らせることができ、又以後の操作負荷を簡略化することができる録画装置の提供を目的とする。【解決手段】番組の録画予約を受け付け、録画を実行する録画装置において、番組の録画予約を受け付ける録画予約受付手段と、前記受け付けた録画予約において、録画時刻が少しでも重複する番組が存在する場合は、前記重複時間に達した際、その旨を示す第１の画面を表示する表示手段と、前記第１の画面が表示された状態で、所定の操作入力を受け付けると、現在実行中の録画設定を解除する設定解除手段を有する。【選択図】図３
2011130285.tif 000002
【特許請求の範囲】
【請求項１】
番組の録画予約を受け付け、録画を実行する録画装置において、
番組の録画予約を受け付ける録画予約受付手段と、
前記受け付けた録画予約において、録画時刻が少しでも重複する番組が存在する場合は、前記重複する時間に達した際、その旨を示す第１の画面を表示する表示手段と、
前記第１の画面が表示された状態で、所定の操作入力を受け付けると、現在実行中の録画設定を解除する設定解除手段を有することを特徴とする録画装置。
【請求項２】
前記表示手段は、録画予約の入力時において、前記重複時間に達した際、前記第１の画面を表示するか否かを確認する第２の画面を表示することを特徴とする請求項１に記載の録画装置。
【請求項３】
前記録画予約受付手段は、画面上に表示された電子番組表により録画予約対象の番組を受け付けることを特徴とする請求項１又は請求項２のいずれかに記載の録画装置。
【請求項４】
録画時刻が重複する場合において、設定された録画時刻の変更を受け付ける変更受付手段を有し、
前記設定解除手段は、前記録画時刻が変更された後、前記操作入力を受け付けた場合は、録画時刻を変更前の録画時刻に戻すことを特徴とする請求項３に記載の録画装置。
【請求項５】
前記表示手段は、番組の放送時刻の変更により重複する時間が解消された場合は、前記第１の画面を表示しないことを特徴とする請求項１〜請求項４のいずれか一項に記載の録画装置。
【請求項６】
録画時刻が重複する場合において、設定された録画時刻の変更を受け付ける変更受付手段を有し、
前記表示手段は、
録画予約の入力時において、前記重複時間に達した際前記第１の画面を表示するか否かを確認する第２の画面を表示し、
番組の放送時刻の変更により重複する時間が解消された場合は、前記第１の画面を表示せず、
前記録画予約受付手段は、画面上に表示された電子番組表により録画予約対象の番組を受け付け、
前記設定解除手段は、前記録画時刻が変更された後、前記操作入力を受け付けた場合は、録画時刻を変更前の録画時刻に戻すことを特徴とする請求項１に記載の録画装置。
【発明の詳細な説明】
【技術分野】
【０００１】
本発明は録画装置に関し、特に、ユーザーに複数の番組を録画可能な録画装置に関する。
【背景技術】
【０００２】
従来、ユーザーからの録画予約を受け付け、録画を実行する録画装置が知られている。このような録画装置においては、ユーザーがリモコン装置等により所定番組の予約を入力すると、録画装置は録画時刻を設定し、設定された録画時刻に達すると受信された番組をメディアに記録する。また、番組データーを記録するメディアの記録容量の増加に伴い、一度に予約できる番組の数も増加している。
【０００３】
上記した録画装置において、複数の番組の録画時刻が重複する場合がある。例えば、ＰＭ６：００〜６：３０に放送される番組Ａと、同日のＰＭ６：２５〜ＰＭ７：００に放送される番組Ｂとを録画予約する場合、番組Ａと番組ＢとはＰＭ６：２５〜ＰＭ６：３０の５分間で重複するため、両番組を録画時刻どおりに録画することはできない。
【０００４】
そのため、録画時刻が重複する番組が発生した場合に、ユーザーによる録画時刻の調整を受け付ける発明が開示されている（例えば、特許文献１−５参照。）。
【先行技術文献】
【特許文献】
【０００５】
【特許文献１】特開平０７−１８４１３１号公報
【特許文献２】特開２００７−０６０５７６号公報
【特許文献３】特開平０９−１４７４４６号公報
【特許文献４】特開平０６−０６０４７５号公報
【特許文献５】特開平１１−１３６６１５号公報
【発明の概要】
【発明が解決しようとする課題】
【０００６】
従来、録画時刻が重複しているか否かを、ユーザーが録画予約の入力中に発見できない場合、ユーザーは録画時刻の重複を解消することはできなかった。また、仮に録画時刻が重複することを認識していたとしても、ユーザーが番組の放送を確認しながら録画時間の調整を行いたい場合もある。このような場合では、録画中の番組がどの時間帯で録画時刻が重複しているかを容易に確認することは難しかった。
【０００７】
本発明は、上記課題にかんがみてなされたもので、録画時刻が重複する番組が存在する場合に、この番組の視聴時にユーザーにどの時間帯で録画時刻が重複しているかを知らせることができ、又以後の操作負荷を簡略化することができる録画装置の提供を目的とする。
【課題を解決するための手段】
【０００８】
上記課題を解決するために、本発明では、番組の録画予約を受け付け、録画を実行する録画装置において、番組の録画予約を受け付ける録画予約受付手段と、前記受け付けた録画予約において、録画時刻が少しでも重複する番組が存在する場合は、前記重複時間に達した際、その旨を示す第１の画面を表示する表示手段と、前記第１の画面が表示された状態で、所定の操作入力を受け付けると、現在実行中の録画設定を解除する設定解除手段を有する構成としてある。
【０００９】
上記のように構成された発明では、録画予約受付手段が受け付けた番組の録画予約において、録画時刻が少しでも重複する番組が存在する場合は、表示手段は、重複時間に達した際、その旨を示す第１の画面を表示する。また、録画途中において前記重複時間に達することで第１の画面が表示された状態で、所定の操作入力を受け付けると、設定解除手段は、現在実行中の録画設定を解除する。
【００１０】
そのため、ユーザーが録画中の番組を視聴している状況で、録画時刻が重複する時間帯に達すると画面上に第１の画面が表示され、録画時刻が重複していることを確認することができる。また、この第１の画面上で所定の操作入力を行うのみで、現在行われている録画予約の設定を解除することができるため、ユーザーの操作負荷を軽減することができる。
【００１１】
また、前記表示手段は、録画予約の入力時において、前記重複時間に達した際前記第１の画面を表示するか否かを確認する第２の画面を表示する構成としてもよい。
上記のように構成された発明では、本発明にかかる機能の実行をユーザーの選択により切換えることができる。
【００１２】
また、録画予約受付手段の具体的な構成の一例として、前記録画予約受付手段は、画面上に表示された電子番組表により録画予約対象の番組を受け付ける構成としてもよい。
上記のように構成された発明では、ユーザーが電子番組表において、録画対象とする番組名のみを参照して、放送時刻をあまり確認しない録画予約方法において、録画時刻が重複する番組が存在しても重複を解消することができるため、本発明をより効果的に適用することが可能となる。
【００１３】
そして、録画時刻が重複する場合において、設定された録画時刻の変更を受け付ける変更受付手段を有し、前記設定解除手段は、前記録画時刻が変更された後、前記操作入力を受け付けた場合は、録画時刻を変更前の録画時刻に戻す構成としてもよい。
上記のように構成された発明では、一度変更された録画時刻を容易に変更することが可能となる。
【００１４】
さらに、前記表示手段は、番組の放送時刻の変更により重複する時間が解消された場合は、前記第１の画面を表示しない構成としてもよい。
上記のように構成された発明では、録画対象番組の放送時間が変更されて重複する時間が存在しなくなった場合に、第１の画面を非表示とすることで、ユーザーに視覚的に録画時刻の重複が解消されたことを伝えることができる。
【００１５】
また、本発明の他の局面として、録画時刻が重複する場合において、設定された録画時刻の変更を受け付ける変更受付手段を有し、前記表示手段は、録画予約の入力時において、前記重複時間に達した際前記第１の画面を表示するか否かを確認する第２の画面を表示し、番組の放送時刻の変更により重複する時間が解消された場合は、前記第１の画面を表示せず、前記録画予約受付手段は、画面上に表示された電子番組表により録画予約対象の番組を受け付け、前記設定解除手段は、前記録画時刻が変更された後、前記操作入力を受け付けた場合は、録画時刻を変更前の録画時刻に戻す構成としてもよい。
【発明の効果】
【００１６】
以上説明したように本発明によれば、録画時刻が重複する番組が存在する場合に、この番組の視聴時にユーザーにどの時間帯で録画時刻が重複しているかを知らせることができ、又以後の操作負荷を簡素化することができる。
また請求項２にかかる発明によれば、本発明にかかる機能の実行をユーザーの選択により切換えることができる。
そして請求項３にかかる発明によれば、本発明をより効果的に適用することが可能となる。
さらに請求項４にかかる発明によれば、一度変更された録画時刻を容易に変更することが可能となる。
そして請求項５にかかる発明によれば、番組の放送時間の変更等により録画時刻が重複しなくなった場合でも、ユーザーに視覚的に録画時刻の重複が解消されたことを伝えることができる。
【図面の簡単な説明】
【００１７】
【図１】録画装置１００の構成を示すブロック図である。
【図２】電子番組表を説明するための図である。
【図３】録画装置１００が実行する録画予約から録画までの流れを説明するフローチャートである。
【図４】画面上に表示される重複時間表示画面を示す図である。
【図５】ディスプレイ９５に表示される第１の画面を示す図である。
【図６】ディスプレイ９５に表示される第１の画面を示す図である。
【図７】第２の実施形態にかかる録画装置１００において、ステップＳ４で実行される処理を示すフローチャートである。
【図８】第２の実施形態にかかる重複時間表示画面を示す図である。
【発明を実施するための形態】
【００１８】
以下、図を参照しつつ下記の順序に従って本発明の実施形態を説明する。
１．第１の実施形態：
２．第２の実施形態：
３．その他の実施形態：
【００１９】
１．第１の実施形態：
以下、図を参照して、この発明に係る録画装置１００を具体化した第１の実施形態について説明する。図１は、録画装置の構成を示すブロック図である。なお、第１の実施形態では、録画装置は、その内部に録画再生部（録画手段）を備えるテレビジョン受像機として構成されている。
【００２０】
録画装置１００は、リモコン装置７０を介した操作を受け付けて番組を放送する他、メニュー画面上でリモコン装置７０等を用いた操作入力を受け付けることで、この操作入力により録画対象とされた番組のデーターを録画再生部８０に録画することができる。以下、本実施形態にかかる録画装置１００の構成を説明する。
【００２１】
＝＝＝録画装置の構成＝＝＝
録画装置１００は以下の要部を備えて構成されている。符号９１は、外部メモリーであり、後述する電子番組表やＩＤデーターを記憶する。符号９２は、制御部であり、録画装置１００の駆動を制御する。符号９３は、フロントエンド部であり、図示しないアンテナが受信した放送電波からリモコン装置７０により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置７０から出力される赤外線信号を受信し、制御部９２に制御コマンドを出力する。符号８０は、録画再生部であり、制御部９２からの制御信号に応じて番組の録画／再生を行う。
【００２２】
制御部９２は、リモコン受信部９８を介して入力される制御コマンド、及び所定のプログラムを実行することにより、録画装置１００の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。また、制御部９２はその内部に計時手段として機能するタイマーを備えており、録画時刻の確認を行うことができる。なお、制御部９２と録画装置１００とを構成する各部はバスを介して接続されており、このバスを介して制御が行われる。
【００２３】
フロントエンド部９３は、各種アンテナが受信した放送電波からリモコン装置７０により選局されたチャンネルの変調信号を抽出する選局部や、選局された変調信号からデジタルデーターを抽出する伝送路復号部を備えて構成されている。本実施形態では、フロントエンド部９３は、デジタル放送を受信する構成として説明を行う。
【００２４】
バックエンド部９４は、取得されたデジタルデーターのスクランブルを解除するデスクランブル部９４ａや、スクランブルを解除されたデジタルデーターからＭＰＥＧ形式の映像・音声信号、及びＴＳ情報を取り出すＭＰＥＧ多重分離部９４ｂ、ＴＳ情報の中のＳＩ情報を処理する基本デコーダー部９４ｃ、更には、映像・音声信号を復号する映像・音声復号部（図示しない）を備えて構成されている。ここで、ＳＩ情報には、番組情報を特定するためのＥＩＴ情報が含まれており、基本デコーダー部９４ｃは、ＥＩＴ情報を用いて電子番組表を作成する。
【００２５】
録画再生部８０は、例えば、ＢＤ（ブルーレイディスク）やＤＶＤ等のメディア、又はＨＤＤに記憶されたデーターをピックアップ部により読取り、インターフェースを通じてバックエンド部９４に送信する。また、録画再生部８０がバックエンド部９４から出力されるデーターをインターフェースを通じて受信した場合は、取得したデーターをピックアップ部を用いてメディア又はＨＤＤに記憶させる。なお、録画再生部８０は、図示しないシステムコントローラーを内部に備え、制御部９２からの制御コマンドによりその駆動を制御する。
【００２６】
外部メモリー９１は、番組データーに付加されて送信されたＳＩ情報、及びこのＳＩ情報により作成された電子番組表を記憶している。図２は、電子番組表を説明するための図である。図２に示す電子番組表では、例えば、横軸を各チャンネル軸とし、縦軸を時間軸として、一週間分の放送予定の番組が特定できるよう記録されている。また、この番組表に記録される各番組は上記ＳＩ情報やＥＩＴ情報が対応付けて記録されている。さらに、録画装置１００は、ユーザーがこの電子番組表に記録された番組をアイコンで選択することによりこの番組の録画予約を実行することができる。
【００２７】
ＯＳＤ回路９７は、制御部９２から出力される映像データーにＯＳＤ画像を合成して出力させる。ＯＳＤ回路９７が出力させるＯＳＤ画像としては、録画装置１００の各種設定を選択するためのＧＵＩ（Graphical User Interface）であるメニュー画面、及び再放送番組の検索にかかる各種画面が含まれる。なお、ＯＳＤ回路９７が出力するＯＳＤ画像は予め内部メモリーに記憶されたものであり制御コマンドに応じて出力されるＯＳＤ画像が決定される。
【００２８】
リモコン装置７０には、チャンネルを切換えるためのチャンネルキー７１の他、重複時刻を知らせる第１の画面（後述）が表示された際、各画面を切換えるための操作キー７２，７３を備えている。
【００２９】
上記構成により、録画装置１００は、録画予約が入力されると、この録画予約に従って番組の録画を実行する。このとき、録画時刻が他の番組と重複する番組を録画する際、録画装置１００は、この重複時間においてユーザーに録画予約された他の番組の放送が開始していることを示す第１の画面を表示する。また、この第１の画面が表示されている状態で、ユーザーがリモコン装７０の操作キー７３を操作すると、現在実行中の録画設定が解除される。そのため、ユーザーが録画中の番組を視聴している状態で、手動で録画を終了するタイミングを調整したい場合において、録画装置１００が第１の画面を表示させることで録画時刻が重複する時間帯をユーザーに視覚的に伝えることが可能となる。さらに、ユーザーは操作キー７３を操作するだけで、現在実行中の録画を解除することができ、ユーザーの操作負荷を低減させることができる。
【００３０】
＝＝＝本録画装置にかかる録画予約から録画が実行されるまでの流れ＝＝＝
図３は、録画装置１００が実行する録画予約から録画までの流れを説明するフローチャートである。以下、図を参照しつつ本実施形態にかかる録画装置１００の処理を説明する。なお、図３に示すフローでは、便宜上、重複する２つの番組を録画予約する場合を例に説明を行うが、予約する番組の数はこれに限定されない。
【００３１】
ユーザーが画面に表示された電子番組表に記録された番組Ａ及び番組Ｂを選択して録画予約を行うと、ステップＳ１において、制御部９２はこの録画予約の入力を受け付ける。例えば、電子番組表において、番組Ａは、チャンネル１、ＰＭ１０：００〜ＰＭ１１：００の時間帯で放送される番組として記録され、番組Ｂは、チャンネル５、ＰＭ１０：５５〜ＰＭ１１：５５の時間帯で放送される番組として記録されているとする。そのため、ステップＳ１の処理により制御部９２は、本発明にかかる録画予約受付手段を実現する。
【００３２】
ステップＳ２において、制御部９２は、ステップＳ１で受け付けた録画予約にかかる番組の録画時刻を比較する。即ち、制御部９２は電子番組表を参照して番組Ａ及び番組Ｂの録画時刻を比較する。
【００３３】
録画予約が重複する場合は（ステップＳ３：ＹＥＳ）、制御部９２はＯＳＤ回路９７に重複時間表示画面（第２の画面）を表示させる（ステップＳ４）。図４は、画面上に表示される重複時間表示画面を示す図である。この重複時間表示画面では、録画対象番組の録画時刻が重複していることを表示するとともに、ユーザーにアイコンを操作し重複時刻に達した場合に、その旨を通知する第１の画面を表示させるか否かの選択を受け付ける。上記例において、番組Ａと番組ＢとはＰＭ１０：５５〜ＰＭ１１：００の５分間において重複するため、制御部９２はＯＳＤ回路９７に重複時間表示画面を表示させる。
【００３４】
ユーザーが重複時間表示画面において「はい」を選択した場合（ステップＳ５：ＹＥＳ）、制御部９２はステップＳ６に進む。ステップＳ６では、制御部９２は、録画開始時刻が経過すると番組Ａの録画を開始する。そして、番組Ｂとの間における重複時間に達した場合は（ステップＳ７：ＹＥＳ）、制御部９２はＯＳＤ回路９７に第１の画面を表示させる（ステップＳ８）。そのため、ステップＳ８の処理により制御部９２及びＯＳＤ回路９７は本発明にかかる表示手段を実現する。
【００３５】
図５、図６は、ディスプレイ９５に表示される第１の画面を示す図である。図５に示す第１の画面では、録画予約を行った番組Ｂの放送開始時刻が経過したため、重複時間が発生していることを示す文字列が表示される。この第１の画面が表示された状態で操作キー７２を操作するか３秒経過すると（ステップＳ９：ＹＥＳ）、第１の画面は図６に示す画面に切り替わる（ステップＳ１０）。ステップＳ１０に示す画面は、ユーザーの視聴の妨げとならないよう、文字列が画面下部に表示される。
【００３６】
図６に示す画面が表示されている状態でユーザーが操作キー７３を操作すると（ステップＳ１１：ＹＥＳ）、制御部９２は、現在実行中の録画設定を解除する（ステップＳ１２）。即ち、この第１の実施形態では、番組Ａの録画を解除し、番組Ｂの録画を開始する。そのため、ステップＳ１２の処理において制御部９２は本発明にかかる設定解除手段を実現する。
番組の進行においては、放送時刻が変更される場合も想定され、また、録画時刻が重複する時間帯においては、番組の本編ではなく次回の予告やＣＭ等が放送されている場合もある。そのため、ユーザーが番組の視聴を行っていれば、ユーザーの意思により録画を終了させるか継続させるかを選択することができ、また、操作キー７３の操作（押し下げ）を行うことで、迅速に録画を切換えることができる。なお、ステップＳ７において重複時間に達した場合に、図５に示す画面を経由せず、図６に示す画面を直接表示するものであってもよい。
【００３７】
一方、ステップＳ５において、ユーザーが「いいえ」を選択して第１の画面を表示させない場合、制御部９２は録画予約で設定された時刻に従って録画を行う（ステップＳ１３）。その一例として、制御部９２は、番組Ａを録画時刻の終了まで録画し、その後番組Ｂの録画を開始する。また、ステップＳ１１において、ユーザーが操作キー７３を操作しない場合も、番組Ａの録画を優先する。以上、第１の実施形態を説明した。
【００３８】
２．第２の実施形態：
重複時間に達した際の、制御部９２の処理としては様々のものが想定できる。例えば、図３のステップＳ４に示す重複時間表示画面により、ユーザーがこの重複時間を解消するよう録画時刻を変更する機能を備えている場合、ステップＳ１２においてユーザーが操作キー７３を操作すると、一度変更された録画時刻を元の録画時刻に戻す構成としてもよい。例えば、一旦は番組Ａの録画終了時刻を短くするよう変更したものの、放送時間の変更により番組Ａの終了時刻が延長された場合等では、変更後の録画時刻を解除し、元の放送時刻に従わせることで、録画を適切に行うことが可能となる。
【００３９】
図７は、第２の実施形態にかかる録画装置１００において、ステップＳ４で実行される処理を示すフローチャートである。また、図８は、第２の実施形態にかかる重複時間表示画面を示す図である。
【００４０】
図３のステップＳ２において、制御部９２は、ステップＳ１で受け付けた録画予約にかかる番組の録画時刻を比較し、重複時間が存在する場合（ステップＳ３：ＹＥＳ）、制御部９２はＯＳＤ回路９７に重複時間表示画面を表示させる（ステップＳ４）。この重複時間表示画面で、録画対象番組の録画時刻が重複していることを表示するとともに、ユーザーにアイコンを操作していずれかの番組の録画時刻を変更させる（図８）。
【００４１】
録画時刻の変更受け付ける場合は（図７のステップＳ２１：ＹＥＳ）、制御部９２は、変更前の録画時刻をメモリーに記憶しておく（ステップＳ２２）。そして、ステップＳ２３において、制御部９２は、変更後の録画時刻により番組予約を更新する。例えば、ユーザーが重複時間表示画面を通じて番組Ｂの録画時刻をＰＭ１０：５５〜ＰＭ１１：５５からＰＭ１１：００〜ＰＭ１１：５５に変更したとして以後の説明を行う。
【００４２】
以後、図３のステップＳ１１において、図６に示す画面上で操作キー７３が操作された場合、ステップＳ１２において、制御部９２は、図７のステップ２３で更新した録画時刻を初めに設定された放送時刻に変更する。即ち、ＰＭ１１：００〜ＰＭ１１：５５で設定された番組Ｂの録画時刻をＰＭ１０：５５〜ＰＭ１１：５５に変更し、番組の録画を行う。以上、第２の実施形態を説明した。
【００４３】
３．第３の実施形態：
また、番組の録画開始時刻の直前に番組の放送時間の変更を録画装置１００が確認できる場合において、重複時間が解消された場合は、第１の画面を非表示としてもよい。その具体的な構成の一例として、録画装置１００はフロントエンド部９３にデジタル放送を受信可能な第１のチューナーと第２のチューナーを備えており、第１のチューナーを用いた番組Ａの録画中に、第２のチューナーが更新された放送時刻を取得する。そのため、番組Ａの録画中に、第２のチューナーを通じて制御部９２が番組Ｂの放送時間の延期により重複時間が生じないことを確認した場合は、第１の画面を非表示とする。
【００４４】
ここで、フロントエンド部９３が備える第１のチューナー及び第２のチューナーが供にデジタル放送に対応するチューナーであることは一例であり、例えば、ＢＳ放送とＣＳ放送といった、異なる放送電波にかかる信号を受信するものであってもよい。また、制御部９２が、受信信号により随時番組の放送時間の変更を受信できる場合は、チューナーは一つであってもよい。
【００４５】
３．その他の実施形態：
本発明は様々な変形例が存在する。
録画装置の構成としては、テレビジョン受像機のみを構成要素とするものに限定されず、テレビジョン受像機と録画機能を備えるメディアプレーヤーとを接続したシステムであってもよい。また、録画機能を備えるメディアプレーヤーのみを構成要素としてもよい。
【００４６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４７】
７０…リモコン装置、８０…録画再生部、９１…外部メモリー、９２…制御部、９３…フロントエンド部、９４…バックエンド部、９４ａ…デスクランブル部、９４ｂ…ＭＰＥＧ多重分離部、９４ｃ…基本デコーダー部、９５…ディスプレイ、９６…スピーカー、９７…ＯＳＤ回路、９８…リモコン受信部、１００…録画装置
【図１】
2011130285.tif 000003
【図２】
2011130285.tif 000004
【図３】
2011130285.tif 000005
【図４】
2011130285.tif 000006
【図５】
2011130285.tif 000007
【図６】
2011130285.tif 000008
【図７】
2011130285.tif 000009
【図８】
2011130285.tif 000010